(57)【要約】特別なジンバル雲台接続構造は、斜め柱、アダプタプラットフォーム、締緩ノブ及びベースを含み、アダプタプラットフォームは、斜め柱の上端側に設置され、撮影装置の取り付け及び固定に適し、斜め柱の別の端側に締緩ノブが設置され、ベースは、斜め柱接続スリーブの端側に設置され、前記斜め柱を支持するために用いられ、ベースの下部中央には、三脚接続用ねじが設置され、位置決めスイッチがジンバル雲台の特別な接続構造の側面から突起し、位置決めスイッチを開放すると、斜め柱が０から４５°、９０°、１８０°でチルトし、斜め柱を１８０°回転させると、斜め柱が逆さまで三脚の二本の腿の間になり、三脚からジンバル雲台を取り外す必要はなく、したがって、ジンバル雲台の使用価値が向上する。【選択図】図１
2019523892.tif 000002
【特許請求の範囲】
【請求項１】
軸心と、斜め柱接続スリーブと、位置決めスイッチと、締付リングと、接続スクリューと及び締付ノブとを含む特別なジンバル雲台接続構造であって、斜め柱と台座の水平面とは９０°をなし、位置決めスイッチを開放すると、斜め柱が０から４５°、９０°、１８０°でチルトし、斜め柱を１８０°回転させると、斜め柱が逆さまで三脚の二本の腿の間になる
ことを特徴とする特別なジンバル雲台接続構造。
【請求項２】
位置決めスイッチは、丸ナットと、ピンロッド突起階段と、位置決めスロットと、軸心スロットと、孔と、バネとを含み、丸ナットとピンロッド突起階段は、ねじで接続され、ピンロッド突起階段の他端は、位置決めスロット、軸心スロット、孔によりバネと接触して接続され、位置決めスイッチが軸心と斜め柱接続スリーブとの間に設置されている
請求項１に記載の特別なジンバル雲台接続構造。
【請求項３】
ピンロッド突起階段と、軸心スロットと、及び位置決めスロットとは互にマッチングし、バネは、ピンロッド突起階段を軸心スロット、位置決めスロット内で上下に摺動するように押し、位置決めスイッチを開放すると、斜め柱が０から４５°、９０°、１８０°でチルトし、斜め柱を１８０°回転させると、斜め柱が逆さまで三脚の二本腿の間になり、斜め柱と台座の水平面とは９０°をなす
請求項２に記載の特別なジンバル雲台接続構造。
【発明の詳細な説明】
【技術分野】
【０００１】
撮影補助設備、特に特別なジンバル雲台接続構造に関する。
【背景技術】
【０００２】
三脚のジンバルヘッドは、撮影装置を取り付け、固定するための支持装置であり、従来の技術では、設計上の欠点のため、三脚への組み合わせ、取り付け、取り外し及び持ち運び等が煩わしいので、特別なジンバル雲台の接続構造を提供する。
【発明の概要】
【発明が解決しようとする課題】
【０００３】
本発明は、三脚への組み合わせ、取り付け及び三脚からの取り外しを必要とせず、特に持ち運びに非常に便利な、特別なジンバル雲台接続構造を提供する。この目的のために、本発明は以下の技術的解決手段を用いる。
【課題を解決するための手段】
【０００４】
特別なジンバル雲台接続構造は、斜め柱と、アダプタプラットフォームと、締緩ノブと及びベースとを含み、アダプタプラットフォームは、斜め柱の上端側に設置され、撮影装置の取り付け及び固定に適し、斜め柱の他端側には締緩ノブが設置され、ベースは、斜め柱接続スリーブの端側に設置され、前記斜め柱を支持するために用いられ、ベースの上端側に軸心が設置され、ベースの下部中央には、三脚接続用ねじが設置されている。
【０００５】
前記特別なジンバル雲台接続構造は、軸心、斜め柱接続スリーブ、位置決めスイッチ、締付リング、接続スクリュー及び締付ノブを含み、軸心は斜め柱接続スリーブ、締付リングにより締付ノブと接続され、接続スクリューは、締付ノブと接続され、締付ノブの他端は、軸心とねじで接続して固定され、軸心と斜め柱接続スリーブとの間には、丸ナットと、ピンロッド突起階段と、位置決めスロットと、軸心スロットと、孔と、バネとを含む位置決めスイッチが設置され、丸ナットとピンロッド突起階段は、ねじで接続され、ピンロッド突起階段の他端は、位置決めスロット、軸心スロット、孔によりバネと接触して接続され、ピンロッド突起階段、軸心スロット、及び位置決めスロットは互にマッチングし、バネは、ピンロッド突起階段を軸心スロット、位置決めスロット内で上下に摺動するように押し、位置決めスイッチを開放すると、斜め柱が０から４５°、９０°、１８０°でチルトし、斜め柱を１８０°回転させると、斜め柱が逆さまで三脚の二本腿の間になり、ジンバル雲台を取り外す必要はない。そのうち、斜め柱と台座の水平面とは９０°をなす。
【図面の簡単な説明】
【０００６】
【図１】特別なジンバル雲台接続構造の概略図
【図２】図１のＡ−Ａ断面概略図
【図３】斜め柱が逆さまになった後の概略図
【発明を実施するための形態】
【０００７】
以下、図１、図２及び図３を参照しながら本発明について詳細に説明する。
【０００８】
本発明の特別なジンバル雲台接続構造は、斜め柱１、ベース２、位置決めスイッチ３、アダプタプラットフォーム１１、及び締緩ノブ１２を含み、アダプタプラットフォーム１１は、斜め柱１の上端側に設置され、撮影装置を取り付け、固定することに適し、斜め柱１の別の端側に締緩ノブ１２が設置され、ベース２は、斜め柱接続スリーブ１３の端側に設置され、前記斜め柱１を支持するために用いられ、ベース２の端側に軸心２２が設置され、ベース２の下部中央には、三脚接続用ねじ２１が設置され、前記特別なジンバル雲台接続構造は、軸心２２、斜め柱接続スリーブ１３、位置決めスイッチ３、締付リング２５、接続スクリュー２４及び締付ノブ２６を含み、軸心２２は斜め柱接続スリーブ１３、締付リング２５により締付ノブ２６と接続され、接続スクリュー２４は、締付ノブ２６と接続され、接続スクリュー２４の他端は、軸心２２とねじで接続して固定され、ベース２と斜め柱接続スリーブ１３との間には、丸ナット３５と、ピンロッド突起階段３１と、位置決めスロット１４と、軸心スロット２３と、孔３３と、バネ３２とを含む位置決めスイッチ３が設置され、丸ナット３５とピンロッド突起階段は、ねじ３４で接続され、ピンロッド突起階段３１の他端は、位置決めスロット１４、軸心スロット２３、孔３３によりバネ３２と接触して接続され、ピンロッド突起階段３１、軸心スロット２３、及び位置決めスロット１４は互にマッチングし、バネは、ピンロッド突起階段３１を軸心スロット２３、位置決めスロット１４内で上下に摺動するように押し、位置決めスイッチ３を開放すると、斜め柱１が０から４５°、９０°、１８０°でチルトし、斜め柱を１８０°回転させると、斜め柱１が逆さまで三脚の二本腿の間になり、ジンバル雲台を取り外す必要はなく、そのうち、斜め柱１と台座２の水平面とは９０°をなす。
【０００９】
本発明の特徴として、斜め柱と台座の水平面とは９０°をなし、位置決めスイッチを開放すると、斜め柱が０から４５°、９０°、１８０°でチルトし、斜め柱を１８０°回転させると、斜め柱が逆さまで三脚の二本の腿の間になり、三脚からジンバル雲台を取り外す必要はなく、したがって、ジンバル雲台の使用価値が向上する。
【００１０】
以上の記載は、本発明の具体的な実施形態のみであり、本発明の保護範囲はこれに限定されるものではなく、当業者が本発明に記載する技術範囲内において、容易に想到できる変更又は置換は、いずれも本発明の保護範囲内に含まれる。したがって、本発明の保護範囲は請求項に限定された保護範囲を基準とする。
【符号の説明】
【００１１】
１  斜め柱
２  ベース
３  位置決めスイッチ
１１  アダプタプラットフォーム
１２  締緩ノブ
１３  斜め柱接続スリーブ
１４  位置決めスロット
２１  三脚接続用ねじ
２２  軸心
２３  軸心スロット
２４  接続スクリュー
２５  締付ノブ
３１  ピンロッド突起階段
３２  バネ
３３  孔
３４  ピンロッド突起階段ねじ
３５  丸ナット
【図１】
2019523892.tif 000003
【図２】
2019523892.tif 000004
【図３】
2019523892.tif 000005
【国際調査報告】
2019523892.tif 000006
2019523892.tif 000007
2019523892.tif 000008
2019523892.tif 000009
2019523892.tif 000010